(57)【要約】      （修正有）【課題】降灰や粉塵による、太陽光発電パネルの発電効率の低下を全自動で速やかに解消させる太陽光発電パネル全自動降灰除去装置を提供する。【解決手段】太陽光パネル１の上方部に効果的に灰を除去する散水ノズル２を設置し、水源より、加圧給水ポンプ５、電磁弁４を介し、降灰センサー８、降雨センサー９、光センサー１０、タイマーを組み合わせ、昼夜を問わず降灰時に効果的に散水を行う。【選択図】図１
0003171758.tif 000002
【実用新案登録請求の範囲】
【請求項１】
太陽光発電を行う太陽光パネルの受光部分の降灰や、その他の粉塵に伴う発電効率の低下を解消させる為に、太陽光パネルの上方部に灰を除去する散水ノズルを設置し、水源より、加圧給水ポンプ、電磁弁を介し、降灰があれば、降灰センサーが検知し、給水ポンプ、電磁弁を作動し、光センサー、タイマーを組み合わせ、昼夜を問わず降灰時に全自動で散水洗浄を行うことができ、降雨時の散水のむだを省く降雨センサーをも有する、全自動散水装置を備える事を特徴とする、太陽光発電パネル全自動降灰除去装置。
【請求項２】
降灰を感知する降灰センサーが、風によってセンサー部のエラーが出ないようにセンサー部に囲いを設け、検知後流水によってセンサー部分を洗い流し、センサーをリセットでき、夜間もＬＥＤランプを取り付ける事により、降灰の感知を可能にする事を特徴とした、降灰センサーを有する請求項１記載の太陽光発電パネル全自動降灰除去装置。
【請求項３】
降雨を感知する降雨センサーが、降灰時でも変わらず降雨を検知できるよう、メッシュの蓋を設け、雨のみ検知部分に通すことができる特徴を有する降雨センサーを有する請求項１記載の太陽光発電パネル全自動降灰除去装置。
【考案の詳細な説明】
【技術分野】
【０００１】  本考案は、太陽光発電パネルの降灰や粉塵を取り除く為に、効果的に散水する方法に関する。
【背景技術】
【０００２】  一般に、太陽光発電システムの場合、太陽光発電パネルの受光部に、降灰等の粉塵が降り積もると、光の透過が妨げられ著しい発電量の低下をきたす事が知られている。しかしその降灰等を除去する為の、効果的な対策は取られておらず、雨により流れてしまうのを待つか、業者に清掃を委託するかが対策の実情である。【０００３】  一方、降灰除去とは違う、太陽光パネルの温度を下げる為の散水システムも知られており、例えば、温度センサーを用いた太陽光パネル散水方法が開示されている。（特許文献１参照）
【先行技術文献】
【０００４】
【特許文献１】特開２００８−２８２８３７号
【考案の概要】
【考案が解決しようとする課題】
【０００５】  しかし、従来の散水システムでは、温度を感知してパネルを冷却するために散水をする方法で、降灰や、粉塵を感知するシステムは、搭載されていないし、そもそも粉塵を除去するほどの散水力は持たされていなかった。【０００６】  本考案は、このような従来のシステムが有していない機能を搭載し、太陽光パネルを、散水により全自動で洗浄するシステムの提供を、目的とするものである。
【課題を解決するための手段】
【０００７】  本考案による太陽光発電パネル全自動降灰除去装置は、上述した課題を解決するため、太陽光発電を行う太陽光パネル１の受光部分に洗浄力のある散水装置２を備えているシステムであって、パネル上方に水道配管３で繋がれた１個又は、２個以上の１８０°散水できるノズル２を有する散水部と、水道栓６より電磁弁４と水圧の低い地域では、加圧給水ポンプ５を介して散水部に送る給水回路部と降灰を感知すると回路をＯＮする降灰センサー８と、降雨を感知すると回路をＯＦＦする降雨センサー９と、夜を感知すると降灰センサーの受光部のランプをＯＮにする光センサー１０と、センサーの働きを制御し、タイマーによって散水する時間をコントロールする制御部７を有する散水装置を特徴とし、また降灰を感知するとセンサーが連動し全自動で散水する事を特徴とする。【０００８】  また本考案による太陽光パネルの散水方法は、上述した課題を解決するため、太陽光発電を行う太陽光パネルに灰が降り始めると、すぐに降灰センサー８のスイッチがＯＮに制御され、あらかじめ設定した制御ボックス７のタイマーにより、設定時間の間給水ポンプ５が作動し、電磁弁４が開になり、散水ノズル２より水が散水される。その動作は、タイマーによる散水設定時間が終わった後も、数分間のインターバルをはさみながら、降灰センサー８が、降灰を感知している間続く。【０００９】  また、この装置は、降雨時は、降雨センサー９が感知し回路をＯＦＦにする為散水はされない。【００１０】  また、夜間の装置の制御に関しては、夜間ひどい降灰が起こり太陽光パネルに大量に灰が積もった場合、散水装置で流せなくなる可能性があるので、夜間も光センサー１０が感知し、降灰センサー８にランプＨ３が付き、昼間と同様降灰を感知することができるため、昼間と同様散水が行われる。
【考案の効果】
【００１１】  このような本考案による太陽光発電パネル全自動降灰除去装置による散水方法によれば、次のような顕著な効果を奏する。【００１２】（１）降灰センサー８により降灰を検知し、自動的に降灰除去装置が作動し、灰が降るそばから除去が始まるので常に太陽光パネル上は光の透過性が良く、発電効率を損なうことがない。よって発電ロスを限りなく低く抑えることができるので、費用対効果が高められる。【００１３】（２）降雨センサー９により雨を検知することによって、降雨時は、散水が止まるので、無駄な散水を行わない為経済性が高い。【００１４】（３）夜間も灰が降れば散水するので、大量の降灰が夜間起こっても順次散水し除去するので、大量に積もってしまい、除去が困難になる事が防げる。
【図面の簡単な説明】
【００１５】
【図１】本考案の実施形態を示す太陽光発電パネル全自動降灰除去装置の主要部系統図、
【図２】同除去装置の散水ノズルの外観図
【図３】同除去装置の降灰センサー部外観図
【図４】同除去装置の降雨センサー部外観図
【図５】同除去装置の光センサー部外観図
【図６】本考案の最良の実施形態に係る主要部の動作を説明するためのフローチャート
【考案を実施する為の形態】
【００１６】  以下、本考案の実施の形態を図１〜図５に基づいて説明する。
【００１７】  図１に、太陽光発電パネル全自動降灰除去装置の系統図を示す。この除去装置は大別して、太陽光発電パネル１の上方に設置された散水ノズル２、と水道配管３による散水部と、水栓６、給水ポンプ５、電磁弁４からなる給水回路部、制御ボックス７による制御部、降灰センサー８、降雨センサー９、光センサー１０を備える。
【００１８】  散水部は、太陽光パネル１の上方に散水ノズル２を設置しそれを水道配管３で連結し、給水回路部まで接続させる。散水ノズル２は、図２に示すようにノズルＳ１が前方に１８０°開いており、水を勢い良く１８０°前方に飛ばすことができ、散水角度の調整ができるアダプターＳ２を備え、効果的に太陽光パネル面に散水できる。散水ノズル２の数は、パネル１の枚数により増減する。
【００１９】  給水回路部は、水道栓６より分岐し、水源とし、制御部による回路ＯＮ、ＯＦＦにより電磁弁４が開閉し散水部に給水する。この時、場所によっては水道水の水圧が低い地域があるので、加圧給水ポンプ５を必要な場合設置する。
【００２０】  制御部は、制御ボックス７で各種センサーの信号を受信するとともに、内部にタイマーが設置してあり、散水時間と散水開始と散水停止後のインターバルを設定できる。これにより、降灰量の季節的な風向きや、火山活動の頻繁さを考慮した散水時間の調整ができる。
【００２１】  図３の降灰センサー８であるが、集塵部分Ｈ１が空に向かって開いており、効果的に降灰を集めることができ、その下部に光センサーＨ２があり、その上に灰がたまり遮光することによりセンサーＨ２のスイッチがＯＮになる。ただ灰がたまった状態では、次の降灰を検知する事が出来ないので、給水回路部より、水道配管３から分岐継ぎ手Ｈ６により給水し、水噴射ノズルＨ４によりセンサーＨ２上の灰を洗浄する。また風が強い日は、センサーＨ２上の降灰が検知しにくい場合があるので、センサー回りは、風除けの囲いＨ５を設ける、これは水噴射ノズルＨ４の反対側は、水の排出ができるように若干開いている。なお夜間降灰があった場合には、灰が積もり過ぎて除去が困難にならないよう、夜間も降灰センサーが作動するよう集塵部分Ｈ１の中央部分に降灰の邪魔にならないようにＬＥＤランプＨ３を設置する。これは、光センサー１０により制御され、夜間のみ発光する。これにより、夜間も降灰を検知することができる。
【００２２】  図４の降雨センサーであるが、降雨を検知すると、給水ポンプ５や、電磁弁４のスイッチ回路を遮断し、ポンプ５、電磁弁４を動かなくさせる。それによって、降雨時のむだな散水を防ぐ事ができる。このセンサーは、空に向かって開いて降雨を効果的に集める集水部分Ａ３と水を検知するセンサー部Ａ１からなり、集水部分Ａ３の上面は、灰は通さず水は通すメッシュの蓋Ａ２になっており、若干傾けて降雨センサー１０を設置する事により、センサー１０部分の降灰の堆積を防ぐ。なお集水部分Ａ３の下方は、水抜きの為の水抜き穴Ａ４が開いており、雨が止むと水検知部Ａ１の水が排出されて次の検知が可能になる。
【００２３】  図５の光センサー１０であるが、降灰センサー８を作動させる為、暗くなるとセンサーが感知して降灰センサー９のＬＥＤランプＨ３を点灯させる。これで夜間でも降灰センサーを作動させる事ができる。この光センサー９は、センサー部分の周りを細いガラスの筒Ｒ１で囲ってある為、センサー部Ｒ２に効果的に光が当たり、若干傾けて設置する事により灰も堆積しにくい。
【００２４】  次に、本実施形態に係る太陽光発電パネル全自動降灰除去装置の作動方法を図６に示すフローチャートに従って説明する。
【００２５】  なお、水道栓６の元栓は開けた状態で運転開始に伴い制御盤の電源をＯＮにする。
例えば降灰も無く、降雨もない場合は、ポンプ５、電磁弁４も作動せず、散水も行われない。
降灰が昼間にあった場合は、降灰センサー８が検知し、給水ポンプ５電磁弁４が作動し、散水が行われる。この時、制御ボックス７のタイマーが作動し、設定時間分散水が行われる。なお停止後は、設定時間分インターバルを設けることができる。その後開始状態に戻るので、降灰が続いている場合作動が繰り返される。降灰が昼間あった場合、雨が降っていると、降雨センサー１０が検知し、優先で回路を遮断するため、散水は行われない。散水作動中に雨が降り出した場合も同様に回路が遮断され散水は、停止する。夜間になると、光センサー９が検知し降灰センサー８のＬＥＤランプを点灯させる。これは、すべての動作に関係なく行われる。夜間降雨が無く、降灰があった場合、昼間と同じように降灰センサーが感知し、散水を行う、後の作動も同じである。
【符号の説明】１  太陽光発電パネル
２  散水ノズル
３  水道配管
４  電磁弁
５  給水ポンプ
６  水道栓
７  制御ボックス
８  降灰センサー
９  降雨センサー
１０  光センサー
Ｈ１  集塵部分
Ｈ２  光センサー
Ｈ３  ＬＥＤランプ
Ｈ４  水噴射ノズル
Ｈ５  風除け囲い
Ｈ６  分岐継ぎ手
Ａ１  水検知センサー
Ａ２  メッシュ蓋
Ａ３  集水部分
Ａ４  水抜き穴
Ｓ１  ノズル
Ｓ２  角度調整アダプター
Ｒ１  ガラス筒
Ｒ２  光センサー
【図１】
0003171758.tif 000003
【図２】
0003171758.tif 000004
【図３】
0003171758.tif 000005
【図４】
0003171758.tif 000006
【図５】
0003171758.tif 000007
【図６】
0003171758.tif 000008